(57)【要約】【課題】装置に大きな衝撃を与えなく、移動刃物を含む重量をによる逆ゾリを防止することができる板状部材切断装置を提供する。【解決手段】  固定刃物５と移動刃物６とを有し、移動刃物６の刃先６ａは、切り始め側６ｂが切り終り側６ｃより固定刃物５側になるように傾斜して形成され、移動刃物６の両端部は、装置固定部に支軸２４、２５で回転自在に支承された揺動板２２、２３に支軸で回転自在に支承され、揺動板２２を上下駆動させるモータ４０を備えている。揺動板２２、２３は、上方に伸びた補助部材取り付け部２２ａ、２３ａを有し、補助部材取り付け部２２ａ、２３ａには、補助部材３０が支軸３１、３２で回転自在に支承され、支軸３１、３２は、移動刃物６より上方で、かつ切り終り側６ｃの方向に設けられている。【選択図】      図１
2014188614.tif 000002
【特許請求の範囲】
【請求項１】
固定刃物と、この固定刃物の上方に配設された移動刃物とを有し、前記移動刃物の刃先は、切り始め側が切り終り側より前記固定刃物側になるように傾斜して形成され、前記移動刃物の両端部は、それぞれ装置固定部に支軸で回転自在に支承された揺動板に支軸で回転自在に支承され、前記切り始め側の揺動板を上下駆動させる駆動手段を備えた板状部材切断装置において、前記２個の揺動板は、それぞれ上方に伸びた補助部材取り付け部を有し、この補助部材取り付け部には、補助部材がそれぞて支軸で回転自在に支承され、支軸は、前記移動刃物より上方で、かつ切り終り側の方向に設けられていることを特徴とする板状部材切断装置。
【発明の詳細な説明】
【技術分野】
【０００１】
本発明は、板状部材を切断する板状部材切断装置に関する。
【背景技術】
【０００２】
板状部材切断装置は、固定刃物と、この固定刃物の上方に配設された移動刃物とが協同して板状部材を切断する。移動刃物の刃先は、切り始め側が切り終り側より固定刃物側になるように傾斜して形成されている。移動刃物の両端部は、それぞれ装置固定部に回転自在に支承された揺動板に回転自在に支承されて平行リンク機構となっており、切り始め側の揺動板を揺動させることにより、移動刃物が上下動し、板状部材を切り始め側から切り終り側に向かって順次切断することができる。なお、この種の板状部材切断装置として、例えば特許文献１及び２が挙げられる。
【先行技術文献】
【特許文献】
【０００３】
【特許文献１】特開２００１−１２９７８８号公報
【特許文献２】特開２００６−２０５３０９号公報
【発明の概要】
【発明が解決しようとする課題】
【０００４】
切断する板状部材が厚く、また大きく、移動刃物を含む移動部分の重量が例えば１０Ｋｇ以上と大きい場合、移動部分の重量によって切り終り側が板状部材を切断した後も更に下降する現象、所謂逆ゾリが生じる。この逆ゾリは、切り終り側の揺動板の角度（揺動板の固定側の支軸と移動刃物側の支軸を結ぶ角度）が例えば１５度以下となると生じ易い。
【０００５】
従来、この逆ゾリを防止するため、揺動板が当接するストッパーを設け、揺動板が必要以上に揺動しないようにしている。揺動板は、移動刃物が板状部材を切断した直後にストッパーに当接する。このため、移動刃物の移動部分の大きな重量がストッパーに加わるので、衝撃が大きく装置に悪影響を及ぼす。
【０００６】
本発明の課題は、装置に大きな衝撃を与えなく、移動刃物を含む重量をによる逆ゾリを防止することができる板状部材切断装置を提供することにある。
【課題を解決するための手段】
【０００７】
上記課題を解決するための本発明の請求項１は、  固定刃物と、この固定刃物の上方に配設された移動刃物とを有し、前記移動刃物の刃先は、切り始め側が切り終り側より前記固定刃物側になるように傾斜して形成され、前記移動刃物の両端部は、それぞれ装置固定部に支軸で回転自在に支承された揺動板に支軸で回転自在に支承され、前記切り始め側の揺動板を上下駆動させる駆動手段を備えた板状部材切断装置において、前記２個の揺動板は、それぞれ上方に伸びた補助部材取り付け部を有し、この補助部材取り付け部には、補助部材がそれぞて支軸で回転自在に支承され、支軸は、前記移動刃物より上方で、かつ切り終り側の方向に設けられていることを特徴とする。
【発明の効果】
【０００８】
補助部材は、移動刃物と共に揺動板に回転自在に支承されている。そして、補助部材の支軸は、移動刃物の支軸より上方でかつ切り終り側の方向に形成されている。板状部材を切断した状態の切り終わり側においては、装置固定部の支軸と移動刃物の支軸を結ぶ角度が例えば１５度であっても、装置固定部の支軸と補助部材の支軸を結ぶ角度は前記角度より大きな角度となる。これにより、移動刃物を揺動させる揺動板の下降位置は補助部材によって防止でき、移動刃物の逆ゾリが防止される。
【図面の簡単な説明】
【０００９】
【図１】本発明の板状部材切断装置の一実施の形態を示し、（ａ）は切断開始前の正面図（ｂ）は切断終了後の正面図である。
【図２】図１（ａ）の一部断面で示す右側面拡大図である。
【図３】図１（ａ）の左側面拡大図で、図 2のモータ側部分は省略図示した。
【発明を実施するための形態】
【００１０】
本発明の板状部材切断装置の一実施の形態を図１乃至図３により説明する。基板１上の左右には、支持板２、３を介して固定刃物固定板４が固定されており、固定刃物固定板４上に固定刃物５が固定されている。固定刃物５の上方には移動刃物６が配設されており、移動刃物６は固定刃物５と協同して板状部材Ｗを切断する。移動刃物６の刃先６ａは、切り始め側６ｂ側（図１の右側）が切り終り側６ｃ側（図１の左側）より固定刃物５側になるように傾斜して形成されている。そこで、移動刃物６を上下駆動させることにより、板状部材Ｗを切り始め側６ｂから切り終り側６ｃに向かって順次切断することができる。
【００１１】
固定刃物５の刃先５ａと移動刃物６の刃先６ａとのクリアランスが生じないように、移動刃物６の切り始め側６ｂ側の固定刃物５には、移動刃物６をガイドするガイド部１０が設けられている。移動刃物６の上方部は、蝶番１１を介して移動刃物ホルダ１２に固定されている。そして、移動刃物６の切り始め側６ｂ側の刃先がガイド部１０に圧接するように、移動刃物６と移動刃物ホルダ１２間にはスプリング１３が配設されている。以上の構成は従来技とほぼ同じ構成となっている。
【００１２】
移動刃物ホルダ１２の左右には支軸２０、２１が固定されており、支軸２０、２１にはそれぞれ揺動板２２、２３が回転自在に支承されている。揺動板２２、２３の下端部は、支軸２４、２５を介してブラケット２６、２７に回転自在に支承されており、ブラケット２６、２７は基板１上に固定されている。ここで、支軸２０から支軸２１までの長さと支軸２４から支軸２５までの長さは同じで、また支軸２０から支軸２４までの長さと支軸２１から支軸２５までの長さは同じに形成されている。即ち、揺動板２２、２３と移動刃物６とで平行リンク機構を形成し、移動刃物６は支軸２４、２５を支点として平行に上下動する。
【００１３】
揺動板２２、２３は上方に伸びた補助部材取り付け部２２ａ、２３ａを有し、補助部材取り付け部２２ａ、２３ａには、移動刃物ホルダ１２の上方に配設された補助部材３０が支軸３１、３２を介して揺動板２２、２３に回転自在に支承されている。ここで、支軸２０から支軸２１までの長さと支軸３１から支軸３２までの長さは同じで、また支軸２０から支軸３１までの長さと支軸２１から支軸３２までの長さは同じに形成されている。即ち、揺動板２２、２３と補助部材３０とで平行リンク機構を形成し、補助部材３０は支軸２４、２５を支点として平行に上下動する。ここで、補助部材３０は、移動刃物６と共に揺動板２２、２３に回転自在に支承されているので、移動刃物６と共に平行に上下動する。補助部材３０は、移動刃物６と共に揺動板２２、２３に回転自在に支承されているので、移動刃物６と共に平行に上下動する。ここで重要なのは、補助部材３０の支軸３１、３２は、移動刃物６の支軸２０、２１より上方で、かつ切り終り側６ｃの方向に設けられている。これにより、後記する作用の項で説明するように、移動刃物６の逆ゾリを防止することができる。
【００１４】
基板１上の左側（切り始め側６ｂ）には、モータ４０の出力軸４０ａが揺動板２２に向くように配設されており、モータ４０はブラケット４１を介して基板１上に固定されている。モータ４０の出力軸４０ａには回転円板４２が固定されており、回転円板４２にはローラ４３が回転自在に支承されている。揺動板２２には図１（ａ）に示す切断開始前の状態において、下方より上方に外側に向けて約４５度傾斜したスリット２０ａが形成されており、このスリット２０ａにローラ４３が摺動自在に嵌挿されている。
【００１５】
次に作用について説明する。図１（ａ）の状態よりモータ４０の出力軸４０ａ及び回転円板４２が矢印Ａ方向に回転し、ローラ４３が揺動板２２のスリット２０ａを摺動する。これにより、揺動板２２が支軸２４を支点として矢印Ｂ方向に回転して図１（ｂ）の状態となる。この場合、揺動板２３も支軸２５を支点として矢印Ｂ方向に回転し、移動刃物６、移動刃物ホルダ１２及び補助部材３０は平行リンク機構によって平行に下降し、板状部材Ｗを切り始め側６ｂから切り終り側６ｃに向かって順次切断する。
【００１６】
本実施の実施の形態においては、図１（ｂ）に示すように、板状部材Ｗを切断した状態においては、支軸２５と支軸２１を結ぶ角度θ１が１５度であっても、支軸２５と支軸３２を結ぶ角度θ２は角度θ１より大きな角度となる。このことを更に詳記すると、前記したように、補助部材３０は、移動刃物６と共に揺動板２２、２３に回転自在に支承されている。そして、補助部材３０の支軸３１、３２は、移動刃物６の支軸２０、２１より上方でかつ切り終り側６ｃの方向に形成されている。これにより、支軸２５と支軸３２を結ぶ角度θ２は支軸２５と支軸２１を結ぶ角度θ１より大きな角度となるので、移動刃物６を揺動させる揺動板２２、２３の下降位置は補助部材３０によって防止でき、移動刃物６の逆ゾリが防止される。
【符号の説明】
【００１７】
Ｗ    板状部材
４    固定刃物固定板
５    固定刃物
６    移動刃物
６ａ  刃先
６ｂ  切り始め側
６ｃ  切り終り側
１２  移動刃物ホルダ
２０、２１    支軸
２２、２３    揺動板
２２ａ、２３ａ    補助部材取り付け部
２４、２５    支軸
３０    補助部材
３１、３２    支軸
４０    モータ
４２    回転円板
４３    ローラ
【図１】
2014188614.tif 000003
【図２】
2014188614.tif 000004
【図３】
2014188614.tif 000005